(57)【要約】装置および方法が、超高スループット（ＶＨＴ）ワイヤレスローカルエリアネットワーク（ＷＬＡＮ）周波数再利用情報レポートを提供し、周波数再利用情報レポートに基づいて動作パラメータを調節する。
2013511219.tif 000002
【特許請求の範囲】
【請求項１】
ワイヤレス通信で使用するための方法であって、
超高スループット（ＶＨＴ）ワイヤレスローカルエリアネットワーク（ＷＬＡＮ）周波数再利用情報レポートを提供するステップと、
前記周波数再利用情報レポートに基づいて動作パラメータを調節するステップと
を含むことを特徴とする方法。
【請求項２】
前記ＶＨＴ周波数再利用が基本サービスセット（ＢＳＳ）に提供され、前記ＢＳＳはアクセスポイント（ＡＰ）および複数のワイヤレス送信／受信ユニット（ＷＴＲＵ）を含むことを特徴とする請求項１に記載の方法。
【請求項３】
前記ＶＨＴ周波数再利用情報は基本サービスセット（ＢＳＳ）に基づくことを特徴とする請求項１に記載の方法。
【請求項４】
前記動作パラメータはチャネル識別を含むことを特徴とする請求項１に記載の方法。
【請求項５】
前記動作パラメータはチャネル帯域幅を含むことを特徴とする請求項１に記載の方法。
【請求項６】
前記動作パラメータはチャネル使用パターンを含むことを特徴とする請求項１に記載の方法。
【請求項７】
前記動作パラメータはチャネル帯域幅使用パターンを含むことを特徴とする請求項１に記載の方法。
【請求項８】
前記周波数再利用情報レポートは信号伝送電力を含むことを特徴とする請求項１に記載の方法。
【請求項９】
前記周波数再利用情報レポートはトラフィック負荷を含むことを特徴とする請求項１に記載の方法。
【請求項１０】
前記周波数再利用情報レポートがＷＴＲＵによってブロードキャストされることを特徴とする請求項１に記載の方法。
【請求項１１】
前記周波数再利用情報レポートがアクセスポイントによってブロードキャストされることを特徴とする請求項１に記載の方法。
【請求項１２】
前記周波数再利用情報レポートがビーコン内に含まれることを特徴とする請求項１に記載の方法。
【請求項１３】
前記周波数再利用情報レポートが管理アクションフレームまたはパブリックアクションフレーム内に含まれることを特徴とする請求項１に記載の方法。
【請求項１４】
超高スループット（ＶＨＴ）ワイヤレスローカルエリアネットワーク（ＷＬＡＮ）周波数再利用情報レポートを受信すること、および
前記周波数再利用情報レポートに基づいて動作パラメータを調節すること
を含むことを特徴とするワイヤレス送信／受信ユニット（ＷＴＲＵ）。
【請求項１５】
前記ＶＨＴ周波数再利用情報は基本サービスセット（ＢＳＳ）に基づくことを特徴とする請求項１４に記載のＷＴＲＵ。
【請求項１６】
前記動作パラメータはチャネル識別を含むことを特徴とする請求項１４に記載の方法。
【請求項１７】
前記動作パラメータはチャネル帯域幅を含むことを特徴とする請求項１４に記載の方法。
【請求項１８】
前記動作パラメータはチャネル使用パターンを含むことを特徴とする請求項１４に記載の方法。
【請求項１９】
前記動作パラメータはチャネル帯域幅使用パターンを含むことを特徴とする請求項１４に記載の方法。
【請求項２０】
前記周波数再利用情報レポートは信号伝送電力を含むことを特徴とする請求項１４に記載の方法。
【請求項２１】
ワイヤレス通信で使用するための方法であって、
超高スループット（ＶＨＴ）ワイヤレスローカルエリアネットワーク（ＷＬＡＮ）チャネルスキャニングを実施するステップ
を含むことを特徴とする方法。
【請求項２２】
ワイヤレス通信で使用するための方法であって、
超高スループット（ＶＨＴ）チャネルスキャン要求を使用してＶＨＴワイヤレスローカルエリアネットワーク（ＷＬＡＮ）チャネルスキャニングを実施するステップ
を含むことを特徴とする方法。
【発明の詳細な説明】
【技術分野】
【０００１】
本願はワイヤレス通信に関する。
【背景技術】
【０００２】
関連出願の相互参照
本願は、参照によりその内容が本明細書に組み込まれる、共に２００９年１１月１３日出願の米国特許仮出願第６１／２６１０８５号明細書および第６１／２６１１５１号明細書の特典を主張する。
【０００３】
ＩＥＥＥ  ８０２．１１規格の最も初期のバージョンは、データ転送速度１Ｍｂｐｓを実現した。後続の補正、すなわちＩＥＥＥ  ８０２．１１ｂでは、物理層データ転送速度１１Ｍｂｐｓが実現された。それぞれ２．４ＧＨｚおよび５ＧＨｚ帯に関する補正であるＩＥＥＥ  ８０２．１１ｇおよびＩＥＥＥ  ８０２．１１ａでの直交周波数分割多重方式（ＯＦＤＭ）の導入で、サポートされるデータ転送速度が、物理（ＰＨＹ）層で５４Ｍｂｐｓに向上した。ＩＥＥＥ  ８０２．１１ｎ補正により、サポートされるデータ転送速度が、ＭＡＣ層の上部で１００Ｍｂｐｓに向上した。
【０００４】
ＭＡＣ層の上部で１００Ｍｂｐｓ超の超高スループット（ＶＨＴ）を有するワイヤレスローカルエリアネットワーク（ＷＬＡＮ）が設計されている。ＶＨＴ  ＷＬＡＮはまた、マルチユーザ多入力多出力（ＭＵ−ＭＩＭＯ）技法、新しいコーディング機能、新しい省電力機能などの機能をも含む。ＭＵ−ＭＩＭＯ技術は、同一の周波数上で複数のＷＴＲＵへの同時送信を可能にし、さらに同一の周波数上で複数のＷＴＲＵからの同時受信を可能にする。ＶＨＴパケット伝送およびレガシーパケット伝送に関する新しいＶＨＴ保護機能も必要となる。密に配置されたＶＨＴ  ＡＰを伴うシナリオでは、近隣ＢＳＳからの高い干渉のために重複基本サービスセット（ＯＢＳＳ）管理が必要である。テレビジョンホワイトスペース（ＴＶＷＳ）シナリオでは、独立して動作するネットワーク／デバイス（さらには、無線技術において異なるネットワーク／デバイス）が、同一の共通ＴＶＷＳ周波数スペクトル内に共存し、動作すると予想される。これらは、ＶＨＴ  ＷＬＡＮで必要とされる新しい特徴および機能のサンプルに過ぎない。
【０００５】
いくつかの近隣ＶＨＴ  ＡＰ／ＢＳＳでは、２０ＭＨｚ帯域幅ではなく８０ＭＨｚ帯域幅で動作すること（すなわち、重複ＢＳＳすなわちＯＢＳＳ）は、ＷＬＡＮに対するスペクトル割振りが限定されることを考えると、利用可能な８０ＭＨｚチャネルが非常に少なくなることになる。その結果、大きい帯域幅チャネル（例えば４０ＭＨｚおよび８０ＭＨｚ）が、近隣ＶＨＴ  ＡＰによって極めて近接して再利用され、干渉が高まる。このことにより、ＡＰに極めて近接するＷＴＲＵだけが良好な通信リンクを亨受するので、カバレッジが低下することがある。さらにこのことにより、ＢＳＳでＡＰから離れたＷＴＲＵの受ける通信リンクが不十分なものとなり、または全くカバレッジがないという不公平問題が生じる。さらに、ＡＰ当たりのスループットおよびユーザ容量も低下することになる。
【０００６】
このことはＶＨＴ  ＯＢＳＳ問題と呼ばれる。さらに、独立して動作するネットワーク／デバイス（さらには、無線技術において異なるネットワーク／デバイス）が同一の共通ＴＶＷＳ周波数スペクトル内に共存し、動作すると予想されるテレビジョンホワイトスペース（ＴＶＷＳ）シナリオでは、ネットワーク間の干渉のために、ＶＨＴ  ＯＢＳＳ問題で見られるのと同様の問題が生じる。
【発明の概要】
【０００７】
ワイヤレス通信で使用するための方法が、超高スループット（ＶＨＴ）ワイヤレスローカルエリアネットワーク（ＷＬＡＮ）周波数再利用情報レポートを提供すること、および周波数再利用情報レポートに基づいて動作パラメータを調節することを含む。
【図面の簡単な説明】
【０００８】
添付の図面と共に例として与えられる以下の説明から、より詳細な理解を得ることができる。
【０００９】
【図１Ａ】１つまたは複数の開示される実施形態を実装することのできる例示的通信システムのシステム図である。
【図１Ｂ】図１Ａに示す通信システム内で使用することのできる例示的ワイヤレス送信／受信ユニット（ＷＴＲＵ）のシステム図である。
【図１Ｃ】図１Ａに示す通信システム内で使用することのできる例示的無線アクセスネットワークおよび例示的コアネットワークのシステム図である。
【図２】典型的な管理アクションフレームのフレームボディフォーマットの一例である。
【図３】ＩＥのフォーマットの一例である。
【図４】ＶＨＴ  Ｆｒｅｑｕｅｎｃｙ  Ｒｅｕｓｅ  Ｒｅｑｕｅｓｔ  ＩＥフォーマットの一例である。
【図５】ＶＨＴ  Ｆｒｅｑｕｅｎｃｙ  Ｒｅｕｓｅ  Ｒｅｐｏｒｔ  ＩＥフォーマットの一例である。
【図６】ＶＨＴ  Ｆｒｅｑｕｅｎｃｙ  Ｒｅｕｓｅ  Ｒｅｑｕｅｓｔアクションフレームボディの一例である。
【図７】ＶＨＴ  Ｆｒｅｑｕｅｎｃｙ  Ｒｅｕｓｅ  Ｒｅｐｏｒｔアクションフレームボディの一例である。
【図８】ＡＰによって使用される近隣ＢＳＳのＶＨＴ  Ｆｒｅｑｕｅｎｃｙ  Ｒｅｕｓｅ  Ｉｎｆｏｒｍａｔｉｏｎ  Ｒｅｐｏｒｔの一例である。
【図９】ＶＨＴチャネルスキャン要求Ｉｎｆｏｒｍａｔｉｏｎ  Ｅｌｅｍｅｎｔフォーマットの一例の図である。
【図１０】Ｖｅｒｙ  Ｈｉｇｈ  Ｔｈｒｏｕｇｈｐｕｔ  Ｃｈａｎｎｅｌ  Ｓｃａｎ  Ｒｅｑｕｅｓｔ  Ａｃｔｉｏｎフレームボディの一例の図である。
【図１１】Ｖｅｒｙ  Ｈｉｇｈ  Ｔｈｒｏｕｇｈｐｕｔチャネルスキャンレポート情報要素の一例の図である。
【図１２】Ｖｅｒｙ  Ｈｉｇｈ  Ｔｈｒｏｕｇｈｐｕｔ  Ｃｈａｎｎｅｌ  Ｓｃａｎ  Ｒｅｑｕｅｓｔ  Ａｃｔｉｏｎフレーム要素の一例の図である。
【図１３】Ｖｅｒｙ  Ｈｉｇｈ  Ｔｈｒｏｕｇｈｐｕｔチャネルスキャン情報レポーティングの一例の図である。
【発明を実施するための形態】
【００１０】
以下で参照するとき、「ワイヤレス送信／受信ユニット（ＷＴＲＵ）」という用語は、限定はしないが、ユーザ機器（ＵＥ）、移動局、固定またはモバイルサブスクライバユニット、ページャ、携帯電話、携帯情報端末（ＰＤＡ）、コンピュータ、またはワイヤレス環境で動作することのできる任意の他のタイプのユーザデバイスを含む。以下で参照するとき、「基地局」という用語は、限定はしないが、ｅｖｏｌｖｅｄ Ｎｏｄｅ−Ｂ、サイトコントローラ、アクセスポイント（ＡＰ）、ワイヤレス環境で動作することのできる任意の他のタイプのインターフェーシングデバイスを含む。
【００１１】
スペクトル内のチャネルをスキャンするのに使用される典型的な受信機機能は、Ｅｎｅｒｇｙ  Ｄｅｔｅｃｔ（ＥＤ）機構、Ｃａｒｒｉｅｒ  Ｓｅｎｓｅ（ＣＳ）機構、およびＣｌｅａｒ  Ｃｈａｎｎｅｌ  Ａｓｓｅｓｓｍｅｎｔ（ＣＣＡ）機構である。ＥＤ／ＣＳ／ＣＣＡ受信電力機構のいくつかの典型的な定義は以下の通りである。ＥＤ機構は、所与のしきい値レベルより上の着信信号のエネルギーを検出した場合は「真」を示し、そうでない場合は「偽」を示す。ＣＳ機構は、着信信号のプリアンブルを検出し、それにロックオンする場合は「真」を示し、そうでない場合は「偽」を示す。ＣＣＡは、チャネル／媒体が「ビジー」であるか、それとも「アイドル」であるかを判定する機構である。ＣＣＡ機構は、ＣＳ機構またはＥＤ機構のどちらかが「真」を示す場合に、チャネルが「ビジー」であると判定することができる。ＣＣＡ機構は、ＣＳ機構とＥＤ機構が共に「偽」を示す場合、またはＥＤ機構が指定の期間に「真」を示し、ＣＳ機構が「偽」を示す場合に、チャネルが「アイドル」であると判定することができる。ＥＤおよびＣＳの表示は物理層のみで利用可能である。ＣＣＡは、物理層およびメディアアクセス制御（ＭＡＣ）層で利用可能である。
【００１２】
インフラストラクチャ議論
図１Ａは、１つまたは複数の開示される実施形態を実装することのできる例示的通信システム１００の図である。通信システム１００は、音声、データ、ビデオ、メッセージング、ブロードキャストなどのコンテンツを複数のワイヤレスユーザに提供する多元接続システムでよい。通信システム１００は、複数のワイヤレスユーザが、ワイヤレス帯域幅を含むシステムリソースの共有を通じてそのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を利用することができる。
【００１３】
図１Ａに示すように、通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態では、任意の数のＷＴＲＵ、基地局、ネットワーク、および／またはネットワーク要素が企図されることを理解されよう。ＷＴＲＵ１０２ａ、１０２ｂ、１０２ｃ、１０２ｄのそれぞれは、ワイヤレス環境で動作および／または通信するように構成された任意のタイプのデバイスでよい。例として、ＷＴＲＵ１０２ａ、１０２ｂ、１０２ｃ、１０２ｄは、ワイヤレス信号を送信および／または受信するように構成することができ、ユーザ機器（ＵＥ）、移動局、固定またはモバイルサブスクライバユニット、ページャ、携帯電話、携帯情報端末（ＰＤＡ）、スマートフォン、ラップトップ、ネットブック、パーソナルコンピュータ、ワイヤレスセンサ、家庭用電子機器などを含むことができる。
【００１４】
通信システム１００はまた、基地局１１４ａおよび基地局１１４ｂをも含むことができる。基地局１１４ａ、１１４ｂのそれぞれは、ＷＴＲＵ１０２ａ、１０２ｂ、１０２ｃ、１０２ｄのうちの少なくとも１つとワイヤレスにインターフェースして、コアネットワーク１０６、インターネット１１０、および／またはネットワーク１１２などの１つまたは複数の通信ネットワークへのアクセスを容易にするように構成された任意のタイプのデバイスでよい。例として、基地局１１４ａ、１１４ｂは、ＢＴＳ：base transceiver station）、Ｎｏｄｅ−Ｂ、ｅＮｏｄｅ  Ｂ、Ｈｏｍｅ  Ｎｏｄｅ−Ｂ、Ｈｏｍｅ  ｅＮｏｄｅ  Ｂ、サイトコントローラ、アクセスポイント（ＡＰ）、ワイヤレスルータなどでよい。基地局１１４ａ、１１４ｂをそれぞれ単一の要素として示すが、基地局１１４ａ、１１４ｂは、任意の数の相互接続された基地局および／またはネットワーク要素を含むことができることを理解されよう。
【００１５】
基地局１１４ａはＲＡＮ１０４の一部でよく、ＲＡＮ１０４は、他の基地局、および／または基地局コントローラ（ＢＳＣ）、無線ネットワークコントローラ（ＲＮＣ）、中継ノードなどのネットワーク要素（図示せず）をも含むことができる。セル（図示せず）と呼ばれることのある特定の地理的領域内のワイヤレス信号を送信および／または受信するように基地局１１４ａおよび／または基地局１１４ｂを構成することができる。セルをさらにセルセクタに分割することができる。例えば、基地局１１４ａに関連するセルを３つのセクタに分割することができる。したがって、一実施形態では、基地局１１４ａは、３つのトランシーバを、すなわちセルの各セクタについて１つ含むことができる。別の実施形態では、基地局１１４ａは、多入力多出力（ＭＩＭＯ）技術を利用することができ、したがってセルの各セクタについて複数のトランシーバを利用することができる。
【００１６】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切なワイヤレス通信リンク（例えば、無線周波数（ＲＦ）、マイクロ波、赤外線（ＩＲ）、紫外線（ＵＶ）、可視光など）でよい。任意の適切な無線アクセス技術（ＲＡＴ）を使用してエアインターフェース１１６を確立することができる。
【００１７】
より具体的には、上記のように、通信システム１００は多元接続システムでよく、ＣＤＭＡ、ＴＤＭＡ、ＦＤＭＡ、ＯＦＤＭＡ、ＳＣ−ＦＤＭＡなどの１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインターフェース１１６を確立することのできる、Ｕｎｉｖｅｒｓａｌ  Ｍｏｂｉｌｅ  Ｔｅｌｅｃｏｍｍｕｎｉａｔｉｏｎｓ  Ｓｙｓｔｅｍ（ＵＭＴＳ）  Ｔｅｒｒｅｓｔｒｉａｌ  Ｒａｄｉｏ  Ａｃｃｅｓｓ（ＵＴＲＡ）などの無線技術を実装することができる。ＷＣＤＭＡは、ＨＳＰＡ（Ｈｉｇｈ−Ｓｐｅｅｄ  Ｐａｃｋｅｔ  Ａｃｃｅｓｓ）および／またはＨＳＰＡ＋（Ｅｖｏｌｖｅｄ  ＨＳＰＡ）などの通信プロトコルを含むことができる。ＨＳＰＡは、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）および／またはＨＳＵＰＡ（Ｈｉｇｈ−Ｓｐｅｅｄ  Ｕｐｌｉｎｋ  Ｐａｃｋｅｔ  Ａｃｃｅｓｓ）を含むことができる。
【００１８】
別の実施形態では、基地局１１４ａ、およびＷＴＲＵ１０２ａ、１０２ｂ、１０２ｃは、ＬＴＥ（Ｌｏｎｇ  Ｔｅｒｍ  Ｅｖｏｌｕｔｉｏｎ）および／またはＬＴＥ−Ａ（ＬＴＥ−Ａｄｖａｎｃｅｄ）を使用してエアインターフェース１１６を確立することのできる、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ）などの無線技術を実装することができる。
【００１９】
別の実施形態では、基地局１１４ａ、およびＷＴＲＵ１０２ａ、１０２ｂ、１０２ｃは、ＩＥＥＥ  ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）などの無線技術を実装することができる。
【００２０】
図１Ａの基地局１１４ｂは、例えばワイヤレスルータ、Ｈｏｍｅ  Ｎｏｄｅ  Ｂ、Ｈｏｍｅ  ｅＮｏｄｅ  Ｂ、またはアクセスポイントでよく、会社、家庭、車両、キャンパスの場所などの局部的なエリア内のワイヤレス接続性を容易にする任意の適切なＲＡＴでよい。一実施形態では、基地局１１４ｂ、およびＷＴＲＵ１０２ｃ、１０２ｄは、ＩＥＥＥ  ８０２．１１などの無線技術を実装して、ワイヤレスローカルエリアネットワーク（ＷＬＡＮ）を確立することができる。別の実施形態では、基地局１１４ｂ、およびＷＴＲＵ１０２ｃ、１０２ｄは、ＩＥＥＥ  ８０２．１５などの無線技術を実装して、ワイヤレスパーソナルエリアネットワーク（ＷＰＡＮ）を確立することができる。さらに別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示すように、基地局１１４ｂは、インターネット１１０への直接接続を有することができる。したがって、基地局１１４ｂは、コアネットワーク１０６を介してインターネット１１０にアクセスする必要がないことがある。
【００２１】
ＲＡＮ１０４は、コアネットワーク１０６と通信することができ、コアネットワーク１０６は、ＷＴＲＵ１０２ａ、１０２ｂ、１０２ｃ、１０２ｄのうちの１つまたは複数に音声サービス、データサービス、アプリケーションサービス、および／またはＶｏＩＰ（ｖｏｉｃｅ  ｏｖｅｒ  ｉｎｔｅｒｎｅｔ  ｐｒｏｔｏｃｏｌ）サービスを提供するように構成された任意のタイプのネットワークでよい。例えば、コアネットワーク１０６は、呼出し制御、課金サービス、モバイル位置ベースのサービス、プリペイド呼出し、インターネット接続性、ビデオ配布などを提供することができ、かつ／またはユーザ認証などの高レベルセキュリティ機能を実施することができる。図１Ａには図示していないが、ＲＡＮ１０４および／またはコアネットワーク１０６が、ＲＡＮ１０４と同一のＲＡＴまたは異なるＲＡＴを利用する他のＲＡＮと直接通信または間接通信をすることができることを理解されよう。例えば、Ｅ−ＵＴＲＡ無線技術を利用していることのあるＲＡＮ１０４に接続されることに加えて、コアネットワーク１０６は、ＧＳＭ無線技術を利用する別のＲＡＮ（図示せず）とも通信することができる。
【００２２】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとしても働くことができる。ＰＳＴＮ１０８は、簡易電話サービス（ＰＯＴＳ）を提供する回路交換電話網を含むことができる。インターネット１１０は、ＴＣＰ／ＩＰインターネットプロトコル群中の伝送制御プロトコル（ＴＣＰ）、ユーザデータグラムプロトコル（ＵＤＰ）、インターネットプロトコル（ＩＰ）などの共通通信プロトコルを使用する、相互接続されたコンピュータネットワークおよびデバイスのグローバルシステムを含むことができる。ネットワーク１１２は、他のサービスプロバイダによって所有および／または運用される有線またはワイヤレス通信ネットワークを含むことができる。例えば、ネットワーク１１２は、ＲＡＮ１０４と同一のＲＡＴまたは異なるＲＡＴを利用することのできる、１つまたは複数のＲＡＮに接続された別のコアネットワークを含むことができる。
【００２３】
通信システム１００内のＷＴＲＵ１０２ａ、１０２ｂ、１０２ｃ、１０２ｄの一部またはすべては、マルチモード機能を含むことができ、すなわちＷＴＲＵ１０２ａ、１０２ｂ、１０２ｃ、１０２ｄは、異なるワイヤレスリンクを介して異なるワイヤレスネットワークと通信する複数のトランシーバを含むことができる。例えば、図１Ａに示すＷＴＲＵ１０２ｃを、セルラベースの無線技術を利用することのできる基地局１１４ａ、およびＩＥＥＥ  ８０２無線技術を利用することのできる基地局１１４ｂと通信するように構成することができる。
【００２４】
図１Ｂは、例示的ＷＴＲＵ１０２のシステム図である。図１Ｂに示すように、ＷＴＲＵ１０２は、プロセッサ１１８、トランシーバ１２０、送信／受信素子１２２、スピーカ／マイクロフォン１２４、キーパッド１２６、ディスプレイ／タッチパッド１２８、取外し不能メモリ１０６、取外し可能メモリ１３２、電源１３４、全地球測位システム（ＧＰＳ）チップセット１３６、および他の周辺機器１３８を含むことができる。一実施形態に適合したままで、ＷＴＲＵ１０２が上記の要素の任意の部分組合せを含むことができることを理解されよう。
【００２５】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などでよい。プロセッサ１１８は、信号コーディング、データ処理、電力制御、入出力処理、および／またはＷＴＲＵ１０２がワイヤレス環境内で動作することを可能にする任意の他の機能を実施することができる。プロセッサ１１８をトランシーバ１２０に結合することができ、トランシーバ１２０を送信／受信素子１２２に結合することができる。図１Ｂはプロセッサ１１８およびトランシーバ１２０を別々の構成要素として示すが、プロセッサ１１８およびトランシーバ１２０を電子パッケージまたはチップに共に一体化することができることを理解されよう。
【００２６】
送信／受信素子１２２を、エアインターフェース１１６を介して基地局（例えば、基地局１１４ａ）に信号を送信し、または基地局から信号を受信するように構成することができる。例えば、一実施形態では、送信／受信素子１２２は、ＲＦ信号を送信および／または受信するように構成されたアンテナでよい。別の実施形態では、送信／受信素子１２２は、例えばＩＲ信号、ＵＶ信号、可視光信号を送信および／または受信するように構成されたエミッタ／検出器でよい。さらに別の実施形態では、ＲＦ信号と光信号を共に送信および受信するように送信／受信素子１２２を構成することができる。ワイヤレス信号の任意の組合せを送信および／または受信するように送信／受信素子１２２を構成できることを理解されよう。
【００２７】
さらに、図１Ｂでは送信／受信素子１２２を単一の素子として示すが、ＷＴＲＵ１０２は任意の数の送信／受信素子１２２を含むことができる。より具体的には、ＷＴＲＵ１０２はＭＩＭＯ技術を利用することができる。したがって、一実施形態では、ＷＴＲＵ１０２は、エアインターフェース１１６を介してワイヤレス信号を送信および受信する２つ以上の送信／受信素子１２２（例えば、複数のアンテナ）を含むことができる。
【００２８】
トランシーバ１２０を、送信／受信素子１２２によって送信すべき信号を変調し、送信／受信素子１２２によって受信される信号を復調するように構成することができる。上述のように、ＷＴＲＵ１０２はマルチモード機能を有することができる。したがって、トランシーバ１２０は、ＷＴＲＵ１０２が例えばＵＴＲＡやＩＥＥＥ  ８０２．１１などの複数のＲＡＴを介して通信することを可能にする複数のトランシーバを含むことができる。
【００２９】
スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）にＷＴＲＵ１０２のプロセッサ１１８を結合し、それらからユーザ入力データを受け取ることができる。プロセッサ１１８はまた、スピーカ／マイクロフォン１２４、キーパッド１２６、および／またはディスプレイ／タッチパッド１２８にユーザデータを出力することもできる。さらに、プロセッサ１１８は、取外し不能メモリ１０６および／または取外し可能メモリ１３２などの任意のタイプの適切なメモリからの情報にアクセスし、メモリにデータを格納することができる。取外し不能メモリ１０６は、ランダムアクセスメモリ（ＲＡＭ）、読取り専用メモリ（ＲＯＭ）、ハードディスク、または任意の他のタイプのメモリ記憶デバイスを含むことができる。取外し可能メモリ１３２は、加入者識別モジュール（ＳＩＭ）カード、メモリスティック、ＳＤ（ｓｅｃｕｒｅ  ｄｉｇｉｔａｌ）メモリカードなどを含むことができる。別の実施形態では、プロセッサ１１８は、サーバやホームコンピュータ（図示せず）などのＷＴＲＵ１０２上に物理的に位置していないメモリからの情報にアクセスし、メモリにデータを格納することができる。
【００３０】
プロセッサ１１８は、電源１３４から電力を受けることができ、ＷＴＲＵ１０２内の他の構成要素への電力を配布および／または制御するように構成することができる。電源１３４は、ＷＴＲＵ１０２に電力供給する任意の適切なデバイスでよい。例えば、電源１３４は、１つまたは複数の乾電池（例えば、ニッケルカドミウム（ＮｉＣｄ）、ニッケル亜鉛（ＮｉＺｎ）、ニッケル金属水素化物（ＮｉＭＨ）、リチウムイオン（Ｌｉ−ｉｏｎ）など）、太陽電池、燃料電池などを含むことができる。
【００３１】
プロセッサ１１８をＧＰＳチップセット１３６にも結合することができ、ＷＴＲＵ１０２の現在位置に関する位置情報（例えば、経度および緯度）を提供するようにＧＰＳチップセット１３６を構成することができる。ＧＰＳチップセット１３６からの情報に加えて、またはその代わりに、ＷＴＲＵ１０２は、エアインターフェース１１６を介して基地局（例えば、基地局１１４ａ、１１４ｂ）から位置情報を受信し、かつ／または２つ以上の近くの基地局から受信している信号のタイミングに基づいてＷＴＲＵ１０２の位置を求めることができる。一実施形態に適合したままで、ＷＴＲＵ１０２が任意の適切な位置決定方法によって位置情報を取得できることを理解されよう。
【００３２】
プロセッサ１１８はさらに、他の周辺機器１３８に結合することができ、他の周辺機器１３８は、追加の特徴、機能、および／または有線もしくはワイヤレス接続性を提供する１つまたは複数のソフトウェアおよび／またはハードウェアモジュールを含むことができる。例えば、周辺機器１３８は、加速度計、ｅコンパス、サテライトトランシーバ、デジタルカメラ（写真またはビデオ用）、ＵＳＢ（ｕｎｉｖｅｒｓａｌ  ｓｅｒｉａｌ  ｂｕｓ）ポート、バイブレーションデバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３３】
図１Ｃは、一実施形態によるＲＡＮ１０４のおよびコアネットワーク１０６のシステム図である。ＲＡＮ１０４は、ＩＥＥＥ  ８０２．１６無線技術を利用して、エアインターフェース１１６を介してＷＴＲＵ１０２ａ、１０２ｂ、１０２ｃと通信するアクセスサービスネットワーク（ＡＳＮ）でよい。以下でさらに論じるが、ＷＴＲＵ１０２ａ、１０２ｂ、１０２ｃ、ＲＡＮ１０４、コアネットワーク１０６の異なる機能エンティティ間の通信リンクを参照ポイント（reference point）と定義することができる。
【００３４】
図１Ｃで示すように、ＲＡＮ１０４は、基地局１４０ａ、１４０ｂ、１４０ｃ、およびＡＳＮゲートウェイ１４２を含むことができるが、ＲＡＮ１０４は、一実施形態に適合したままで、任意の数の基地局およびＡＳＮゲートウェイを含むことができることを理解されよう。基地局１４０ａ、１４０ｂ、１４０ｃをそれぞれ、ＲＡＮ１０４内の特定のセル（図示せず）と関連付けることができ、エアインターフェース１１６を介してＷＴＲＵ１０２ａ、１０２ｂ、１０２ｃと通信する１つまたは複数のトランシーバをそれぞれ含むことができる。一実施形態では、基地局１４０ａ、１４０ｂ、１４０ｃはＭＩＭＯ技術を実装することができる。したがって、基地局１４０ａは、例えば、複数のアンテナを使用して、ＷＴＲＵ１０２ａにワイヤレス信号を送信し、ＷＴＲＵ１０２ａからワイヤレス信号を受信することができる。基地局１４０ａ、１４０ｂ、１４０ｃはまた、ハンドオフトリガリング、トンネル確立、無線リソース管理、トラフィック分類、サービス品質（ＱｏＳ）ポリシー実施などのモビリティ管理機能をも提供することができる。ＡＳＮゲートウェイ１４２は、トラフィックアグリゲーションポイントとして働くことができ、ページング、加入者プロファイルのキャッシング、コアネットワーク１０６へのルーティングなどを担当することができる。
【００３５】
ＷＴＲＵ１０２ａ、１０２ｂ、１０２ｃ、およびＲＡＮ１０４の間のエアインターフェース１１６を、ＩＥＥＥ  ８０２．１６仕様を実装するＲ１参照ポイントと定義することができる。さらに、ＷＴＲＵ１０２ａ、１０２ｂ、１０２ｃのそれぞれは、コアネットワーク１０６と論理インターフェース（図示せず）を確立することができる。ＷＴＲＵ１０２ａ、１０２ｂ、１０２ｃと、コアネットワーク１０６との間の論理インターフェースをＲ２参照ポイントと定義することができ、認証、許可、ＩＰホスト構成管理、および／またはモビリティ管理のためにＲ２参照ポイントを使用することができる。
【００３６】
基地局１４０ａ、１４０ｂ、１４０ｃのそれぞれの間の通信リンクを、ＷＴＲＵハンドオーバおよび基地局間のデータの転送を容易にするプロトコルを含むＲ８参照ポイントと定義することができる。基地局１４０ａ、１４０ｂ、１４０ｃ、およびＡＳＮゲートウェイ２１５の間の通信リンクをＲ６参照ポイントと定義することができる。Ｒ６参照ポイントは、ＷＴＲＵ１０２ａ、１０２ｂ、１００ｃのそれぞれに関連するモビリティイベントに基づいてモビリティ管理を容易にするプロトコルを含むことができる。
【００３７】
図１Ｃに示すように、ＲＡＮ１０４をコアネットワーク１０６に接続することができる。ＲＡＮ１０４とコアネットワーク１０６との間の通信リンクを、例えばデータ転送およびモビリティ管理機能を容易にするプロトコルを含むＲ３参照ポイントと定義することができる。コアネットワーク１０６は、モバイルＩＰホームエージェント（ＭＩＰ−ＨＡ）１４４、ＡＡＡ（ａｕｔｈｅｎｔｉｃａｔｉｏｎ，ａｕｔｈｏｒｉｚａｔｉｏｎ，ａｃｃｏｕｎｔｉｎｇ）サーバ１４６、およびゲートウェイ１４８を含むことができる。上記の要素のそれぞれをコアネットワーク１０６の一部として示すが、これらの要素のいずれか１つを、コアネットワークオペレータ以外のエンティティによって所有および／または操作できることを理解されよう。
【００３８】
ＭＩＰ−ＨＡはＩＰアドレス管理を担当することができ、ＷＴＲＵ１０２ａ、１０２ｂ、１０２ｃが異なるＡＳＮおよび／または異なるコアネットワーク間でローミングすることを可能にすることができる。ＭＩＰ−ＨＡ１４４は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃ、およびＩＰ使用可能デバイスの間の通信を容易にすることができる。ＡＡＡサーバ１４６は、ユーザ認証およびユーザサービスのサポートを担当することができる。ゲートウェイ１４８は、他のネットワークとの相互作用を容易にすることができる。例えば、ゲートウェイ１４８は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃ、および従来型陸線通信デバイスの間の通信を容易にすることができる。さらに、ゲートウェイ１４８は、ネットワーク１１２へのアクセスをＷＴＲＵ１０２ａ、１０２ｂ、１０２ｃに提供することができ、ネットワーク１１２は、他のサービスプロバイダによって所有および／または運用される他の有線またはワイヤレスネットワークを含むことができる。
【００３９】
図１Ｃには図示していないが、ＲＡＮ１０４を他のＡＳＮに接続することができ、コアネットワーク１０６を他のコアネットワークに接続できることを理解されよう。ＲＡＮ１０４と他のＡＳＮとの間の通信リンクをＲ４参照ポイントと定義することができ、Ｒ４参照ポイントは、ＲＡＮ１０４と他のＡＳＮとの間のＷＴＲＵ１０２ａ、１０２ｂ、１０２ｃのモビリティを調整するプロトコルを含むことができる。コアネットワーク１０６と他のコアネットワークとの間の通信リンクをＲ５参照ポイントと定義することができ、Ｒ５参照ポイントは、ホームコアネットワークと訪問先コアネットワークとの間の相互作用を容易にするプロトコルを含むことができる。
【００４０】
フレーム構造
図２に、「ｋ」個のフィールドがＣａｔｅｇｏｒｙフィールドおよびＡｃｔｉｏｎフィールドの後に続く、Ａｃｔｉｏｎ  Ｆｒａｍｅのフレームボディフォーマットの図を示す。Ｐｕｂｌｉｃ  Ａｃｔｉｏｎフレームは、Ｓｕｂｔｙｐｅ  Ａｃｔｉｏｎの管理フレームである。Ｃａｔｅｇｏｒｙフィールドはパブリックに設定される。これによりＢＳＳ間通信およびＡＰ−無関連ＷＴＲＵ通信（ＡＰ  ｔｏ  ｕｎ−ａｓｓｏｃｉａｔｅｄ  ＷＴＲＵ  ｃｏｍｍｕｎｉａｔｉｏｎ）が可能となる。ここで、「関連／無関連」とは、ＡＰとの間のＷＴＲＵ「登録／無登録」ステータスを指す。例えば、パブリックアクションフレームでは、（１）送信側ＷＴＲＵ／ＡＰと受信側ＷＴＲＵ／ＡＰが異なるＢＳＳと関連付けられることがあり、（２）送信側ＷＴＲＵと受信側ＷＴＲＵの一方または両方がＢＳＳと関連付けられないことがある。
【００４１】
ＣａｔｅｇｏｒｙフィールドおよびＡｃｔｉｏｎフィールドの後に続く管理Ａｃｔｉｏｎ  ＦｒａｍｅのＦｒａｍｅボディ内のフィールドはＩＥでよい。ＩＥ内の第１のフィールドは、ＩＥに特有のＩＤを含むＥｌｅｍｅｎｔ  ＩＤフィールドでよい。このフィールドの後に、ＩＥの長さを含むＬｅｎｇｔｈフィールドが続くことができる。Ｌｅｎｇｔｈフィールドの後に、ＩＥに特有の可変数のフィールドが続くことができる。
【００４２】
図３は、「ｎ」個のフィールド２０６ａ〜２０６ｃがＥｌｅｍｅｎｔ  ＩＤフィールド２０２およびＬｅｎｇｔｈフィールド２０４の後に続く、ＩＥのフォーマットの図である。
【００４３】
ＶＨＴ周波数再利用情報
ＶＨＴ周波数再利用機構は、都市住宅エリア内のＶＨＴ  ＷＬＡＮの密な配置でのＶＨＴ  ＯＢＳＳ問題に対処することができる。ＶＨＴ周波数再利用機構はまた、企業ＷＬＡＮにも適用可能となる。スペクトルを効率的に再利用するために、ＶＨＴ周波数再利用をＴＶＷＳシナリオでも適用することができる。ＢＳＳがＡＰおよび１つまたは複数のＷＴＲＵを有するインフラストラクチャＢＳＳにもＶＨＴ周波数再利用を適用することができる。Ｉｎｄｅｐｅｎｄｅｎｔ  ＢＳＳまたはＤｉｒｅｃｔ  Ｌｉｎｋ  ＳｅｔｕｐシナリオにもＶＨＴ周波数再利用を適用することができる。
【００４４】
無線、Ｄｉｓｔｒｉｂｕｔｉｏｎ  Ｓｙｓｔｅｍ（ＤＳ）、またはバックホール有線／ワイヤレスネットワークを介して、近隣ＢＳＳのＶＨＴ周波数再利用情報をＡＰ（あるいは、ＢＳＳ、Ｉｎｄｅｐｅｎｄｅｎｔ  ＢＳＳ、またはＤｉｒｅｃｔ  Ｌｉｎｋ  Ｓｅｔｕｐ内のＷＴＲＵ）によって要求および受信することができる。ＶＨＴ周波数再利用情報は、周波数使用量、帯域幅使用量、チャネルおよびチャネル帯域幅使用パターン、電力使用量、トラフィック負荷情報、共存ポリシー、ならびに規制情報を含むことができる。ＡＰ（あるいは、ＢＳＳ、Ｉｎｄｅｐｅｎｄｅｎｔ  ＢＳＳ、またはＤｉｒｅｃｔ  Ｌｉｎｋ  Ｓｅｔｕｐ内のＷＴＲＵ）は、近隣ＢＳＳのＶＨＴ周波数再利用情報に基づいて、動作に関するＡＰのパラメータを調節することができる。
【００４５】
一実施形態では、本明細書でＶＨＴ周波数再利用情報と呼ぶＶＨＴ周波数再利用に関する情報を近隣ＢＳＳ間で要求およびレポートする機構を提案する。
【００４６】
ＶＨＴ周波数再利用情報要求は、１つまたは複数のビットを設定することにより、要求の単純な表示を含むことができ、要求する再利用情報のタイプなどの関連情報をも含むことができる。
【００４７】
ＶＨＴ周波数再利用情報要求を、ＡＰ間の任意の他のＢＳＳ間メッセージ伝送と共に含めることができる。
【００４８】
ＶＨＴ周波数再利用情報要求を、ＢＳＳ、Ｉｎｄｅｐｅｎｄｅｎｔ  ＢＳＳ、またはＤｉｒｅｃｔ  Ｌｉｎｋ  ＳｅｔｕｐシナリオでのＷＴＲＵによる任意の他のメッセージ伝送と共に含めることができる。
【００４９】
図４を参照すると、ＶＨＴ周波数再利用情報要求をＶＨＴ周波数再利用要求ＩＥとしてフォーマットすることができる。ＶＨＴ周波数再利用要求ＩＥのＥｌｅｍｅｎｔ  ＩＤ  ３０２は、新しく定義した値、具体的にはＶＨＴ周波数再利用要求ＩＥについて新しく定義した値を有することができる。Ｌｅｎｇｔｈフィールド３０４は、Ｌｅｎｇｔｈフィールドに続いて、ＶＨＴ周波数再利用要求ＩＥの長さを含むことができる。Ｅｌｅｍｅｎｔ  ＩＤフィールド３０２およびＬｅｎｇｔｈフィールド３０４の後に続く、ＶＨＴ周波数再利用要求ＩＥ内のフィールド３０６ａ〜３０６ｃは不要であることがあるが（例えば、すべての周波数再利用情報がレポートで予想される場合）、フィールド３０６ａ〜３０６ｃが含まれる場合、要求した再利用情報のタイプなどの関連情報を含むことができる。
【００５０】
ＶＨＴ周波数再利用情報レポートは、以下のうちの１つまたは複数に関する情報を含むことができる。１）使用するチャネル数／識別、チャネル帯域幅、チャネルおよびチャネル帯域幅使用パターンなどの周波数情報（例えば、ＡＰが２０／４０ＭＨｚ帯域幅伝送位相の間で時間を分割するＰｈａｓｅ  Ｃｏｅｘｉｓｔｅｎｃｅ  Ｏｐｅｒａｔｉｏｎ）、２）使用するチャネルおよびチャネル帯域幅での送信電力、３）使用するチャネルおよびチャネル帯域幅上のトラフィック負荷、４）ＷＴＲＵ（例えば、ＡＰに近いＷＴＲＵ、またはＡＰとの間で良好な品質の無線リンクを有するＷＴＲＵ）の近接度を求めるのに使用するしきい値、パラメータ、および基準、５）チャネルおよびチャネル帯域幅および送信／受信電力に関する任意の関連規制情報および規則、６）チャネルおよびチャネル帯域幅に関するＥＤ／ＣＳ／ＣＣＡ機能に関するパラメータ、ならびに７）共存（例えば、ＢＳＳ間、システム間、またはＴＶＷＳ）に関するパラメータ、規則、ポリシー、機構、および規制情報。
【００５１】
ＡＰ間の任意の他のＢＳＳ間メッセージ伝送と共にＶＨＴ周波数再利用情報レポートを含めることができる。
【００５２】
ＶＨＴ周波数再利用情報レポートを、ＢＳＳ、Ｉｎｄｅｐｅｎｄｅｎｔ  ＢＳＳ、またはＤｉｒｅｃｔ  Ｌｉｎｋ  ＳｅｔｕｐシナリオでのＷＴＲＵによる任意の他のメッセージ伝送と共に含めることができる。
【００５３】
ＶＨＴ周波数再利用情報レポートをＡＰ／ＷＴＲＵによってブロードキャストまたはユニキャストすることができる。
【００５４】
図５を参照すると、ＶＨＴ周波数再利用情報レポートをＶＨＴ周波数再利用レポートＩＥとしてフォーマットすることができる。ＶＨＴ周波数再利用レポートＩＥのＥｌｅｍｅｎｔ  ＩＤ  ４０２は、新しく定義した値、具体的にはＶＨＴ周波数再利用要求ＩＥについて新しく定義した値を有することができる。Ｌｅｎｇｔｈフィールド４０４は、Ｌｅｎｇｔｈフィールド４０４に続いて、ＶＨＴ周波数再利用レポートＩＥの長さを含むことができる。Ｅｌｅｍｅｎｔ  ＩＤフィールド４０２およびＬｅｎｇｔｈフィールド４０４の後に続く、ＶＨＴ周波数再利用レポートＩＥ内のフィールド４０６ａ〜４０６ｃは、ＶＨＴ周波数再利用情報レポートの一部またはすべてを含むことができる。
【００５５】
図５では、「ｎ」個のフィールド４０６ａ〜４０６ｃがある。Ｌｅｎｇｔｈフィールド４０４の後に続く、ＶＨＴ周波数再利用レポートＩＥのフィールドに対するＶＨＴ周波数再利用情報レポートのマッピングはフレキシブルである。いくつかの異なるマッピングが可能である。
【００５６】
ＶＨＴ周波数再利用情報要求／レポートまたはＶＨＴ周波数再利用要求／レポートＩＥをＡＰによって既存のデータ／制御／管理フレーム、ならびにビーコン、アクションフレーム、およびパブリックアクションフレーム内に含めることができる。
【００５７】
ＶＨＴ周波数再利用情報要求／レポートまたはＶＨＴ周波数再利用要求／レポートＩＥを、アクションフレームおよびパブリックアクションフレームのように、ＷＴＲＵによって既存のデータ／制御／管理フレーム内に含めることができる。
【００５８】
ＶＨＴ周波数再利用情報要求／レポートまたはＶＨＴ周波数再利用要求／レポートＩＥを、ＡＰ／ＷＴＲＵにより、ＢＳＳ、Ｄｉｓｔｒｉｂｕｔｉｏｎ  Ｓｙｓｔｅｍ（ＤＳ）、またはＡＰおよび他のネットワークを接続する任意のバックホール有線／ワイヤレスネットワークによって使用される周波数を介して送信される任意の既存または新しいパケット内に含めることができる。
【００５９】
ＶＨＴ周波数再利用情報要求／レポートまたはＶＨＴ周波数再利用要求／レポートＩＥを、ＡＰ／ＷＴＲＵにより、任意の周波数／チャネルを介して、特にＢＳＳ間通信またはシステム間共存通信のために予約することのできるいくつかの周波数／チャネル上で送信される任意の新しいまたは既存のパケット内に含めることができる。
【００６０】
別の実施形態では、ＶＨＴ周波数再利用情報要求またはＶＨＴ周波数再利用要求ＩＥを、ＡＰ／ＷＴＲＵにより、本明細書で「ＶＨＴ周波数再利用要求」アクションフレームと呼ぶ新しいパブリックアクションフレーム内に含めることができる。「ＶＨＴ周波数再利用要求」アクションフレームのフレームボディを図６に示す。
【００６１】
図６を参照すると、ＣａｔｅｇｏｒｙフィールドをＰｕｂｌｉｃ  Ｃａｔｅｇｏｒｙを表す値に設定することができる。Ａｃｔｉｏｎフィールドは、ＶＨＴ  Ｆｒｅｑｕｅｎｃｙ  Ｒｅｕｓｅ  Ｒｅｑｕｅｓｔを表す値に設定される。Ｄｉａｌｏｇ  Ｔｏｋｅｎフィールドは、要求側ＷＴＲＵ／ＡＰによって選ばれる値に設定され、Ａｃｔｉｏｎ  Ｒｅｐｏｒｔ／ＲｅｓｐｏｎｓｅフレームをＡｃｔｉｏｎ  Ｒｅｑｕｅｓｔフレームと突き合わせるために使用される。図６のＦｒｅｑｕｅｎｃｙ  Ｒｅｕｓｅ  Ｉｎｆｏｒｍａｔｉｏｎ  Ｒｅｑｕｅｓｔフィールドは、ＶＨＴ  Ｆｒｅｑｕｅｎｃｙ  Ｒｅｕｓｅ  Ｉｎｆｏｒｍａｔｉｏｎ  ＲｅｑｕｅｓｔまたはＶＨＴ  Ｆｒｅｑｕｅｎｃｙ  Ｒｅｕｓｅ  Ｉｎｆｏｒｍａｔｉｏｎ  Ｒｅｑｕｅｓｔ  ＩＥを含む。
【００６２】
あるいは、図６のＦｒｅｑｕｅｎｃｙ  Ｒｅｕｓｅ  Ｉｎｆｏｒｍａｔｉｏｎ  Ｒｅｑｕｅｓｔフィールドを複数のＦｒｅｑｕｅｎｃｙ  Ｒｅｕｓｅ  Ｉｎｆｏｒｍａｔｉｏｎ  Ｒｅｑｕｅｓｔフィールドで置き換え、これらのフィールドをＶＨＴ  Ｆｒｅｑｕｅｎｃｙ  Ｒｅｕｓｅ  Ｉｎｆｏｒｍａｔｉｏｎ要求にマッピングすることもできる。いくつかの異なるマッピングが可能であることがある。
【００６３】
Ｃａｔｅｇｏｒｙフィールドを、Ｓｐｅｃｔｒｕｍ  Ｍａｎａｇｅｍｅｎｔ、保持時間（ＨＴ）、Ｒａｄｉｏ  Ｍｅａｓｕｒｅｍｅｎｔ、Ｖｅｎｄｏｒ  Ｓｐｅｃｉｆｉｃ、Ｗｉｒｅｌｅｓｓ  Ｎｅｔｗｏｒｋ  Ｍａｎａｇｅｍｅｎｔなどの任意の他の既存のＡｃｔｉｏｎフィールドカテゴリを表す値に、ＶＨＴ周波数再利用要求アクションフレームがこうしたカテゴリまたは目的のために使用されるときに設定することができる。
【００６４】
Ｃａｔｅｇｏｒｙフィールドを、ＶＨＴなどの任意の新しいＡｃｔｉｏｎフィールドカテゴリを表す値に、ＶＨＴ周波数再利用要求アクションフレームがこうしたカテゴリまたは目的のために使用されるときに設定することができる。
【００６５】
好ましい実施形態では、ＶＨＴ周波数再利用情報レポートまたはＶＨＴ周波数再利用レポートＩＥを、ＡＰ／ＷＴＲＵにより、本明細書で「ＶＨＴ周波数再利用レポート」アクションフレームと呼ぶ新しいパブリックアクションフレーム内に含めることができる。「ＶＨＴ周波数再利用レポート」アクションフレームのフレームボディを図７に示す。
【００６６】
図７を参照すると、Ｃａｔｅｇｏｒｙフィールドを、Ｐｕｂｌｉｃ  Ｃａｔｅｇｏｒｙを表す値に設定することができる。Ａｃｔｉｏｎフィールドを、ＶＨＴ  Ｆｒｅｑｕｅｎｃｙ  Ｒｅｕｓｅ  Ｒｅｐｏｒｔを表す値に設定することができる。Ｄｉａｌｏｇ  Ｔｏｋｅｎフィールドは、対応する受信したＶＨＴ  Ｆｒｅｑｕｅｎｃｙ  Ｒｅｕｓｅ  Ｒｅｑｕｅｓｔフレーム内に含まれる値に設定される。このフィールドは、Ａｃｔｉｏｎ  Ｒｅｐｏｒｔ／ＲｅｓｐｏｎｓｅフレームをＡｃｔｉｏｎ  Ｒｅｑｕｅｓｔフレームと突き合わせるために使用される。
【００６７】
「ＶＨＴ周波数再利用レポート」アクションフレームが非送信請求モードで（すなわち、合致する要求アクションフレームなしに）送られる場合、Ｄｉａｌｏｇ  Ｔｏｋｅｎフィールドを、その目的のために定義した特定の値に設定することができる。Ｄｉａｌｏｇ  Ｔｏｋｅｎフィールドの後に続く、「ｋ」個のＦｒｅｑｕｅｎｃｙ  Ｒｅｕｓｅ  Ｉｎｆｏｒｍａｔｉｏｎ  Ｒｅｐｏｒｔ  ＦｉｅｌｄはＶＨＴ周波数再利用情報レポートを含み、「ｋ」は、ただ１つのＦｒｅｑｕｅｎｃｙ  Ｒｅｕｓｅ  Ｉｎｆｏｒｍａｔｉｏｎ  Ｒｅｐｏｒｔ  Ｆｉｅｌｄとなる値１を取ることができる。
【００６８】
ＶＨＴ周波数再利用情報レポートに対するＦｒｅｑｕｅｎｃｙ  Ｒｅｕｓｅ  Ｉｎｆｏｒｍａｔｉｏｎ  Ｒｅｐｏｒｔ  Ｆｉｅｌｄ（複数可）のマッピングはフレキシブルでよく、任意の適切なマッピングを選ぶことができる。いくつかの異なるマッピングが可能である。例えば、ＶＨＴ周波数再利用情報レポートをＶＨＴ周波数再利用レポートＩＥとしてフォーマットすることができ、「ＶＨＴ周波数再利用レポート」アクションフレーム内のＤｉａｌｏｇ  Ｔｏｋｅｎフィールドに続いて、ＶＨＴ周波数再利用レポートＩＥをフィールドとして含めることができる。
【００６９】
「ＶＨＴ周波数再利用レポート」アクションフレームがブロードキャストまたは受信機のグループのためのものである場合、「ＶＨＴ周波数再利用レポート」アクションフレームをそれぞれブロードキャストまたはグループ宛先アドレスと共に送ることができる。「ＶＨＴ周波数再利用レポート」アクションフレームが単一のＡＰ／ＷＴＲＵのためのものである場合、「ＶＨＴ周波数再利用レポート」アクションフレームをユニキャスト宛先アドレスと共に送ることができる。
【００７０】
Ｃａｔｅｇｏｒｙフィールドを、Ｓｐｅｃｔｒｕｍ  Ｍａｎａｇｅｍｅｎｔ、ＨＴ、Ｒａｄｉｏ  Ｍｅａｓｕｒｅｍｅｎｔ、Ｖｅｎｄｏｒ  Ｓｐｅｃｉｆｉｃ、Ｗｉｒｅｌｅｓｓ  Ｎｅｔｗｏｒｋ  Ｍａｎａｇｅｍｅｎなどの任意の他の既存Ａｃｔｉｏｎフィールドカテゴリを表す値に、ＶＨＴ周波数再利用レポートアクションフレームがこうしたカテゴリまたは目的のために使用されるときに設定することができる。
【００７１】
Ｃａｔｅｇｏｒｙフィールドを、ＶＨＴなどの任意の新しいＡｃｔｉｏｎフィールドカテゴリを表す値に、ＶＨＴ周波数再利用レポートアクションフレームがこうしたカテゴリまたは目的のために使用されるときに設定することができる。
【００７２】
ＶＨＴ周波数再利用情報要求／レポート、ＶＨＴ周波数再利用要求／レポートＩＥ、またはＶＨＴ周波数再利用要求／レポートアクションフレーム（パブリックアクションフレーム）を、ＷＴＲＵ／ＡＰにより、使用するＢＳＳ周波数上で、周波数スペクトル上のチャネルをスキャンすることによって受信することができる。
【００７３】
ＡＰは、ＶＨＴ周波数再利用情報レポートについてスペクトル中のチャネルを監視するようにＷＴＲＵに要求することができる。
【００７４】
ＷＴＲＵは、そのＢＳＳに関する、ＡＰによって受信されたＶＨＴ周波数再利用情報レポートを送信請求式または非送信請求式に転送することができる。
【００７５】
ＶＨＴ周波数再利用情報を、ＷＴＲＵ／ＡＰにより、Ｄｉｓｔｒｉｂｕｔｉｏｎ  Ｓｙｓｔｅｍ（ＤＳ）、またはＡＰおよび他のネットワークを接続する任意のバックホール有線／ワイヤレスネットワーク上で受信することができる。
【００７６】
図８に別の実施形態を示す。ＡＰ５００（または、ＢＳＳ、Ｉｎｄｅｐｅｎｄｅｎｔ  ＢＳＳ、もしくはＤｉｒｅｃｔ  Ｌｉｎｋ  Ｓｅｔｕｐ内のＷＴＲＵ）が、近隣ＢＳＳ５１０、５２０のＶＨＴ周波数再利用情報レポート５１２、５２２を使用して、以下のうちの１つまたは複数に関するその動作パラメータを調節することができる（５０４）。１）使用するチャネル数／識別、チャネル帯域幅、チャネルおよびチャネル帯域幅使用パターン（例えば、ＡＰが２０／４０ＭＨｚ帯域幅伝送位相の間で時間を分割する１１ｎ  Ｐｈａｓｅ  Ｃｏｅｘｉｓｔｅｎｃｅ  Ｏｐｅｒａｔｉｏｎ）、２）使用するチャネルおよびチャネル帯域幅での送信電力、３）使用するチャネルおよびチャネル帯域幅上のトラフィック負荷、４）ＷＴＲＵ（例えば、ＡＰに近いＷＴＲＵ、またはＡＰとの間で良好な品質の無線リンクを有するＷＴＲＵ）の近接度を求めるのに使用するしきい値、パラメータ、および基準、５）チャネルおよびチャネル帯域幅および送信／受信電力に関する任意の関連規制情報および規則、６）チャネルおよびチャネル帯域幅に関するＥＤ／ＣＳ／ＣＣＡ機能に関するパラメータ、７）ＷＴＲＵとの通信のためのチャネルおよびチャネル帯域幅の選択、８）ＷＴＲＵと通信するときの有向ビームの適用、９）ＷＴＲＵと通信するときのアンテナ選択の適用、１０）ＷＴＲＵと通信するときの送信ビーム形成の適用、１１）ＷＴＲＵと通信するときの受信ビーム形成の適用、１２）ＷＴＲＵと通信するときの送信電力調節の適用、１３）チャネルおよびチャネル帯域幅に関するＥＤ／ＣＳ／ＣＣＡ機能に関するパラメータに対する他のＷＴＲＵ／ＡＰの推薦、ならびに１４）共存（例えば、ＢＳＳ間、システム間、またはＴＶＷＳ）に関するパラメータ、規則、ポリシー、機構、および規制情報。
【００７７】
別の実施形態では、ＡＰ（または、ＢＳＳ、Ｉｎｄｅｐｅｎｄｅｎｔ  ＢＳＳ、もしくはＤｉｒｅｃｔ  Ｌｉｎｋ  Ｓｅｔｕｐ内のＷＴＲＵ）が、近隣ＢＳＳのＶＨＴ周波数再利用情報レポートに加えて、ＷＴＲＵ／ＡＰから受信したＶＨＴチャネルスキャン情報レポートを使用して、上記で列挙したもののうちの１つまたは複数に関するその動作パラメータを調節することができる。
【００７８】
他の実施形態も可能である。フレーム／メッセージフォーマット内の新しく追加するフィールドの順序を単に変更することによっていくつかの変形形態を生成することができる。提案する新しいフィールドのうちの一部だけを使用することによって他の変形形態も可能である。
【００７９】
本明細書の教示を、データリンク層、メディアアクセス制御層、またはネットワーク層で、複数のＷＴＲＵとの間のアクセスポイントを有するネットワークとして、特定用途向け集積回路（ＡＳＩＣ）、デジタル信号プロセッサ（ＤＳＰ）、またはソフトウェアとして実装することができる。この教示は、８０２．１１ベースのＷＬＡＮシステム、または無線リソース管理（ＲＲＭ）および無線リソースコントローラ（ＲＲＣ）を使用するＯＦＤＭ／ＭＩＭＯを開示するが、既存のものと今後のものの両方の、他のタイプのワイヤレスシステムに適用することができる。
【００８０】
ＶＨＴスキャン要求情報
図９に、ＶＨＴ  Ｃｈａｎｎｅｌ  Ｓｃａｎ  Ｒｅｑｕｅｓｔ  ＩＥの一例の図を示す。Ａｃｔｉｏｎサブタイプ管理フレームやＡｃｔｉｏｎ  Ｎｏ  Ａｃｋｎｏｗｌｅｄｇｍｅｎｔサブタイプ管理フレームなどの管理フレームを、Ｓｐｅｃｔｒｕｍ  Ｍａｎａｇｅｍｅｎｔやサービス品質などの拡張管理アクションのために使用することができる。説明を簡単にするために、本明細書では管理フレームを「Ａｃｔｉｏｎ  Ｆｒａｍｅ」や「管理Ａｃｔｉｏｎ  Ｆｒａｍｅ」と呼ぶことがある。管理ＡｃｔｉｏｎフレームのＦｒａｍｅ  Ｂｏｄｙは、Ａｃｔｉｏｎ  Ｃａｔｅｇｏｒｙフィールドで始まることができ、その後に、Ｓｅｔｕｐ  Ｒｅｑｕｅｓｔ、Ｓｅｔｕｐ  Ｒｅｓｐｏｎｓｅ、ＴｅａｒｄｏｗｎなどのＡｃｔｉｏｎフレームのタイプを特定することのできるＡｃｔｉｏｎフィールドが続く。Ａｃｔｉｏｎフィールドの後には、Ａｃｔｉｏｎ  Ｆｒａｍｅタイプに基づいて他のフィールドが続くことができ、これらのフィールドのうちの１つまたは複数はＩｎｆｏｒｍａｔｉｏｎ  Ｅｌｅｍｅｎｔ（ＩＥ）でよい。図９に示すように、ＶＨＴ  Ｃｈａｎｎｅｌ  Ｓｃａｎ要求フォーマットに関するフレームボディは、ＣａｔｅｇｏｒｙおよびＡｃｔｉｏｎフィールドの後に続くｋ個の６０６ａ〜６０６ｃフィールドを含むことができる。
【００８１】
例えば、８０２．１１  Ｐｕｂｌｉｃ  Ａｃｔｉｏｎフレームなどの、ＣａｔｅｇｏｒｙフィールドをＰｕｂｌｉｃに設定したサブタイプＡｃｔｉｏｎの管理フレームを、ＢＳＳ間通信およびＡＰ−無関連ＳＴＡ通信のために使用することができる。例えば、パブリックアクションフレームでは、送信側ＳＴＡまたはＡＰおよび受信側ＳＴＡまたはＡＰを、異なるＢＳＳと関連付けることができる。さらに、送信側ＷＴＲＵと受信側ＷＴＲＵの一方または両方がＢＳＳに関連付けられないことがある。
【００８２】
ＢＳＳ、Ｉｎｄｅｐｅｎｄｅｎｔ  ＢＳＳ、またはＤｉｒｅｃｔＬｉｎｋ構成内のＡＰまたはＳＴＡなどのＷＴＲＵが、特定のＷＴＲＵにＶＨＴチャネルスキャン要求を送ることができ、またはブロードキャストでＶＨＴチャネルスキャン表示を送ることができる。説明を簡単にするために、以下では、ターゲットとする要求またはブロードキャスト表示をＶＨＴチャネルスキャン要求と呼ぶことがある。ＶＨＴチャネルスキャン要求に応答して、スペクトル中のチャネルをスキャンすることによってＶＨＴチャネルスキャンレポート情報を生成することができる。
【００８３】
ＶＨＴチャネルスキャン要求は、スキャンするチャネルおよびチャネル帯域幅に関連する情報、干渉電力しきい値、測定時間パラメータ、チャネルおよびチャネル帯域幅に関するＥＤ、ＣＳ、またはＣＣＡ機能に関するパラメータ、チャネル、チャネル帯域幅、および送信／受信電力に関する規制情報および規則、あるいは能動スキャンや受動スキャンなどの使用する測定モードを含むことができる。
【００８４】
図９に、ＶＨＴチャネルスキャン要求ＩＥの一例の図を示す。ＶＨＴチャネルスキャン要求ＩＥのＥｌｅｍｅｎｔ  ＩＤ  ６０２は、ＶＨＴチャネルスキャン要求ＩＥを表す値を含むことができる。Ｌｅｎｇｔｈフィールド６０４は、Ｌｅｎｇｔｈフィールドの後に続いて、ＶＨＴチャネルスキャン要求ＩＥの長さを含むことができる。Ｅｌｅｍｅｎｔ  ＩＤフィールドおよびＬｅｎｇｔｈフィールドの後に続く、ＶＨＴチャネルスキャン要求ＩＥ内のフィールド６０６ａ〜６０６ｃは、ＶＨＴチャネルスキャン要求情報の一部またはすべてを含むことができる。例えば、図９に、「ｎ」個のＶＨＴチャネルスキャン要求情報フィールドを示す。Ｌｅｎｇｔｈフィールドの後に続くＶＨＴチャネルスキャン要求ＩＥのフィールドに対するＶＨＴチャネルスキャン要求情報のマッピングはフレキシブルでよい。様々なマッピングを実装できることを当業者は理解することができる。
【００８５】
ＶＨＴチャネルスキャン要求を、新しいフレームや既存のフレームなどのデータまたは制御フレーム内に含めることができる。ＶＨＴチャネルスキャン要求を、ビーコン、関連付け、再関連付け、プローブ応答などの、アクション、パブリックアクション、または管理フレーム内に含めることもできる。
【００８６】
図１０に、ＶＨＴ  Ｃｈａｎｎｅｌ  Ｓｃａｎ  Ｒｅｑｕｅｓｔ  Ａｃｔｉｏｎフレームの一例の図を示す。Ｃａｔｅｇｏｒｙフィールドを、ＶＨＴ  Ｃｈａｎｎｅｌスキャンを表す値に設定することができる。Ａｃｔｉｏｎフィールドを、ＶＨＴまたはＶＨＴチャネルスキャン要求を表す値に設定することができる。Ｄｉａｌｏｇ  Ｔｏｋｅｎフィールドを、要求側ＷＴＲＵによって選ばれる値に設定することができ、Ａｃｔｉｏｎ  ＲｅｐｏｒｔまたはＲｅｓｐｏｎｓｅフレームをＡｃｔｉｏｎ  Ｒｅｑｕｅｓｔフレームと突き合わせるのに使用することができる。Ｃｈａｎｎｅｌ  Ｓｃａｎ  Ｉｎｆｏｒｍａｔｉｏｎ  Ｒｅｑｕｅｓｔフィールドは、ＶＨＴ  Ｃｈａｎｎｅｌ  Ｓｃａｎ  Ｉｎｆｏｒｍａｔｉｎ  Ｒｅｑｕｅｓｔ情報、またはＶＨＴ  Ｃｈａｎｎｅｌ  Ｓｃａｎ  Ｒｅｑｕｅｓｔ  ＩＥを含むことができる。あるいは、Ｃｈａｎｎｅｌ  Ｓｃａｎ  Ｉｎｆｏｒｍａｔｉｏｎ  Ｒｅｑｕｅｓｔフィールドを、ＶＨＴ  Ｃｈａｎｎｅｌ  Ｓｃａｎ要求情報にマッピングすることのできる複数のＣｈａｎｎｅｌ  Ｓｃａｎ  Ｉｎｆｏｒｍａｔｉｏｎ  Ｒｅｑｕｅｓｔフィールドで置き換えることもできる。
【００８７】
例えば、ＶＨＴ  Ｃｈａｎｎｅｌ  Ｓｃａｎ  ＲｅｑｕｅｓｔアクションフレームがＰｕｂｌｉｃ  Ａｃｔｉｏｎフレームとして使用される場合、Ｃａｔｅｇｏｒｙフィールドを、Ｐｕｂｌｉｃカテゴリを表す値に設定することができる。パブリックアクションフレームとしてのＶＨＴ  Ｃｈａｎｎｅｌ  Ｓｃａｎ  Ｒｅｑｕｅｓｔアクションフレームは、例えば、異なるＢＳＳに関連するＷＴＲＵまたはＢＳＳに関連しないＷＴＲＵでこのフレームを受信すべきであるときに使用することができる。
【００８８】
Ｃａｔｅｇｏｒｙフィールドを、別のアクションフィールドカテゴリ、例えば、Ｓｐｅｃｔｒｕｍ  Ｍａｎａｇｅｍｅｎｔ、ＨＴ、Ｒａｄｉｏ  Ｍｅａｓｕｒｅｍｅｎｔ、Ｖｅｎｄｏｒ  Ｓｐｅｃｉｆｉｃ、Ｗｉｒｅｌｅｓｓ  Ｎｅｔｗｏｒｋ  Ｍａｎａｇｅｍｅｎｔなどの既存の８０２．１１  Ａｃｔｉｏｎフィールドカテゴリを表す値に設定することができる。例えば、ＶＨＴ  Ｃｈａｎｎｅｌ  Ｓｃａｎ  Ｒｅｑｕｅｓｔアクションフレームがこうしたカテゴリまたは目的のために使用されるときである。
【００８９】
ＶＨＴチャネルスキャンレポート情報は、ＶＨＴチャネルおよびチャネル帯域幅上の干渉電力に関する情報、チャネルおよびチャネル帯域幅上の信号対雑音比、指定のしきい値を超える干渉電力、チャネルおよびチャネル帯域幅に関するＥＤ、ＣＳ、またはＣＣＡ機能からの表示、チャネルおよびチャネル帯域幅上の認識されるＢＳＳ識別、あるいはチャネルまたはチャネル帯域幅および送信／受信電力に関する規制情報または規則を含むことができる。
【００９０】
図１１に、ＶＨＴ  ＣｈａｎｎｅｌスキャンレポートＩＥの一例の図を示す。ＶＨＴチャネルスキャンレポート情報をＶＨＴチャネルスキャンレポートＩＥとしてフォーマットすることができる。ＶＨＴチャネルスキャンレポートＩＥのＥｌｅｍｅｎｔ  ＩＤ  ７０２は、ＶＨＴチャネルスキャンレポートＩＥを表す値を含むことができる。Ｌｅｎｇｔｈフィールド７０４は、Ｌｅｎｇｔｈフィールド７０４の後に続いて、ＶＨＴチャネルスキャンレポートＩＥの長さを含むことができる。Ｅｌｅｍｅｎｔ  ＩＤフィールド７０２およびＬｅｎｇｔｈフィールド７０４の後に続く、ＶＨＴチャネルスキャンレポートＩＥ内のフィールド７０６ａ〜７０６ｃは、ＶＨＴチャネルスキャンレポート情報の一部またはすべてを含むことができる。例えば、図１１に示すように、ＩＥは「ｎ」個の情報フィールドを含むことができる。様々なマッピングを実装することができる。Ｌｅｎｇｔｈフィールドの後に続くＶＨＴチャネルスキャンレポートＩＥのフィールドに対するＶＨＴチャネルスキャンレポート情報のマッピングはフレキシブルでよい。
【００９１】
ＷＴＲＵは、新しいフレームや既存のフレームなどのデータまたは制御フレームで、ＷＴＲＵに対する特定の要求に応答するなど、送信請求式に、または非送信請求式に、例えばブロードキャストメッセージ内に含まれ、または示されるスキャンパラメータに基づいて、ＶＨＴチャネルスキャンレポート情報またはＶＨＴチャネルスキャンレポートＩＥを送ることができる。
【００９２】
ＷＴＲＵはまた、新しいフレームや既存のフレームなどの管理、アクション、パブリックアクションフレームで、ＷＴＲＵに対する特定の要求に応答するなど、送信請求式に、または非送信請求式に、例えばブロードキャストメッセージ内に含まれ、または示されるスキャンパラメータに基づいて、ＶＨＴチャネルスキャンレポート情報またはＶＨＴチャネルスキャンレポートＩＥを送ることもできる。
【００９３】
図１２に、ＶＨＴ  Ｃｈａｎｎｅｌ  Ｓｃａｎ  Ｒｅｐｏｒｔ  Ａｃｔｉｏｎ  Ｆｒａｍｅのフレームボディの一例の図を示す。ＶＨＴ  Ｃｈａｎｎｅｌ  Ｓｃａｎ  Ｒｅｐｏｒｔ  Ａｃｔｉｏｎ  ＦｒａｍｅはＶＨＴチャネルスキャンレポート情報を含むことができる。Ｃａｔｅｇｏｒｙフィールドは、ＶＨＴまたはＶＨＴ  Ｃｈａｎｎｅｌスキャンを表す値を含むことができる。Ａｃｔｉｏｎフィールドは、ＶＨＴチャネルスキャンレポートを表す値を含むことができる。Ｄｉａｌｏｇ  Ｔｏｋｅｎフィールドは、対応する受信したＶＨＴ  Ｃｈａｎｎｅｌ  Ｓｃａｎ  Ｒｅｑｕｅｓｔ  Ａｃｔｉｏｎフレーム内に含まれる値を含むことができる。非送信請求モードでは、Ｄｉａｌｏｇ  Ｔｏｋｅｎフィールドは、その目的で定義された特定の値を含むことができる。Ｃｈａｎｎｅｌ  Ｓｃａｎ  Ｉｎｆｏｒｍａｔｉｏｎ  Ｒｅｐｏｒｔフィールドは、ＶＨＴ  Ｃｈａｎｎｅｌ  Ｓｃａｎレポート情報またはＶＨＴ  Ｃｈａｎｎｅｌ  Ｓｃａｎ  Ｒｅｐｏｒｔ  ＩＥを含むことができる。あるいは、Ｃｈａｎｎｅｌ  Ｓｃａｎ  Ｉｎｆｏｒｍａｔｉｏｎ  Ｒｅｐｏｒｔフィールドを、ＶＨＴ  Ｃｈａｎｎｅｌ  Ｓｃａｎレポート情報にマッピングすることのできる複数のＣｈａｎｎｅｌ  Ｓｃａｎ  Ｉｎｆｏｒｍａｔｉｏｎ  Ｒｅｐｏｒｔフィールドで置き換えることができる。本明細書に記載の実施形態の範囲を超えることなく様々なマッピングを実装できることを当業者は理解することができる。
【００９４】
例えば、ＶＨＴ  Ｃｈａｎｎｅｌ  Ｓｃａｎ  ＲｅｐｏｒｔアクションフレームがＰｕｂｌｉｃ  Ａｃｔｉｏｎフレームとして使用される場合、ＣａｔｅｇｏｒｙフィールドはＰｕｂｌｉｃカテゴリを表す値を含むことができる。例えば、異なるＢＳＳに関連するＡＰでフレームを受信すべきであるとき、ＶＨＴ  Ｃｈａｎｎｅｌ  Ｓｃａｎ  Ｒｅｐｏｒｔアクションフレームをパブリックアクションフレームとして使用することができる。
【００９５】
Ｃａｔｅｇｏｒｙフィールドは、既存の８０２．１１Ａｃｔｉｏｎフィールドカテゴリなどの別のＡｃｔｉｏｎフィールドカテゴリ、例えばＳｐｅｃｔｒｕｍ  Ｍａｎａｇｅｍｅｎｔ、ＨＴ、Ｒａｄｉｏ  Ｍｅａｓｕｒｅｍｅｎｔ、Ｖｅｎｄｏｒ  Ｓｐｅｃｉｆｉｃ、またはＷｉｒｅｌｅｓｓ  Ｎｅｔｗｏｒｋ  Ｍａｎａｇｅｍｅｎｔを表す値を、ＶＨＴ  Ｃｈａｎｎｅｌ  Ｓｃａｎ  Ｒｅｐｏｒｔアクションフレームがこうしたカテゴリまたは目的のために使用されるときなどに含むことができる。
【００９６】
図１３に、ＶＨＴチャネルスキャン情報レポート使用の一例の図を示す。ＷＴＲＵ８００は、他のＷＴＲＵ８１０、８２０から受信したＶＨＴチャネルスキャン情報レポート８１２、８２２を使用して、使用するチャネル数または識別、チャネル帯域幅、ＡＰが２０／４０ＭＨｚ帯域幅伝送位相の間で時間を分割するＰｈａｓｅ  Ｃｏｅｘｉｓｔｅｎｃｅ  Ｏｐｅｒａｔｉｏｎなどのチャネルおよびチャネル帯域幅使用パターンに関するその動作パラメータを調節することができる。受信したレポートを使用して、使用するチャネルおよびチャネル帯域幅での送信電力、または使用するチャネルおよびチャネル帯域幅上のトラフィック負荷を調節することができる（８０４）。レポートを使用して、ＡＰとの間で良好な品質の無線リンクを有するＷＴＲＵなどの近いＷＴＲＵを求める際に使用するしきい値、パラメータ、および基準を調節することができる。レポートを使用して、チャネルおよびチャネル帯域幅および送信／受信電力に関する規制情報および規則を調節することができる。受信したレポートを使用して、チャネルまたはチャネル帯域幅に関するＥＤ、ＣＳ、またはＣＣＡ機能に関するパラメータを調節することができる。
【００９７】
受信したレポートを使用して、ＷＴＲＵと通信するときに、チャネルまたはチャネル帯域幅の選択、有向ビームの適用、アンテナ選択の適用、送信ビーム形成の適用、受信ビーム形成の適用、または送信電力調節の適用を調節することもできる。受信したレポートを使用して、チャネルまたはチャネル帯域幅に関するＥＤ、ＣＳ、またはＣＣＡ機能に関するパラメータに対する他のＷＴＲＵの推薦を調節することができる。受信したレポートを使用して、共存、例えばＢＳＳ間、システム間、またはＴＶＷＳに関するパラメータ、規則、ポリシー、機構、または規制情報について調節することができる。
【００９８】
ＷＴＲＵは、ＷＴＲＵから受信したＶＨＴチャネルスキャン情報レポートに加えて、近隣ＢＳＳのＶＨＴ周波数再利用情報レポートを使用して、その動作パラメータを調節することができる。
【００９９】
実施形態
１．ワイヤレス通信で使用するための方法であって、超高スループット（ＶＨＴ）ワイヤレスローカルエリアネットワーク（ＷＬＡＮ）周波数再利用情報レポートを提供すること、および周波数再利用情報レポートに基づいて動作パラメータを調節することを含む方法。
【０１００】
２．ＶＨＴ周波数再利用が基本サービスセット（ＢＳＳ）に提供され、ＢＳＳがアクセスポイント（ＡＰ）および複数のワイヤレス送信／受信ユニット（ＷＴＲＵ）を含む実施形態１の方法。
【０１０１】
３．ＶＨＴ周波数再利用情報が基本サービスセット（ＢＳＳ）に基づく先の実施形態の方法。
【０１０２】
４．動作パラメータがチャネル識別を含む先の実施形態の方法。
【０１０３】
５．動作パラメータがチャネル帯域幅を含む先の実施形態の方法。
【０１０４】
６．動作パラメータがチャネル使用パターンを含む先の実施形態の方法。
【０１０５】
７．動作パラメータがチャネル帯域幅使用パターンを含む先の実施形態の方法。
【０１０６】
８．周波数再利用情報レポートが信号伝送電力を含む先の実施形態の方法。
【０１０７】
９．周波数再利用情報レポートがトラフィック負荷を含む先の実施形態の方法。
【０１０８】
１０．周波数再利用情報レポートがＷＴＲＵによってブロードキャストされる先の実施形態の方法。
【０１０９】
１１．周波数再利用情報レポートがアクセスポイントによってブロードキャストされる先の実施形態の方法。
【０１１０】
１２．周波数再利用情報レポートがビーコン内に含まれる先の実施形態の方法。
【０１１１】
１３．周波数再利用情報レポートが管理アクションフレームまたはパブリックアクションフレーム内に含まれる先の実施形態の方法。
【０１１２】
１４．超高スループット（ＶＨＴ）ワイヤレスローカルエリアネットワーク（ＷＬＡＮ）周波数再利用情報レポートを受信すること、および周波数再利用情報レポートに基づいて動作パラメータを調節することを含むワイヤレス送信／受信ユニット（ＷＴＲＵ）。
【０１１３】
１５．ＶＨＴ周波数再利用情報が基本サービスセット（ＢＳＳ）に基づく先の実施形態のＷＴＲＵ。
【０１１４】
１６．動作パラメータがチャネル識別を含む先の実施形態の方法。
【０１１５】
１７．動作パラメータがチャネル帯域幅を含む先の実施形態の方法。
【０１１６】
１８．動作パラメータがチャネル使用パターンを含む先の実施形態の方法。
【０１１７】
１９．動作パラメータがチャネル帯域幅使用パターンを含む先の実施形態の方法。
【０１１８】
２０．周波数再利用情報レポートが信号伝送電力を含む先の実施形態の方法。
【０１１９】
２１．ワイヤレス通信で使用するための方法であって、超高スループット（ＶＨＴ）ワイヤレスローカルエリアネットワーク（ＷＬＡＮ）チャネルスキャニングを実施することを含む方法。
【０１２０】
２２．ワイヤレス通信で使用するための方法であって、超高スループット（ＶＨＴ）チャネルスキャン要求を使用してＶＨＴワイヤレスローカルエリアネットワーク（ＷＬＡＮ）チャネルスキャニングを実施することを含む方法。
【０１２１】
本明細書で説明した実施形態は例示的なものであること、および他の変形形態を実施できることは明らかなはずである。例えば、フレームまたはメッセージフォーマットでフィールドの順序を変更することができ、または本明細書で説明したフィールドのサブセットを使用することができる。
【０１２２】
特定用途向け集積回路（ＡＳＩＣ）、デジタル信号プロセッサ（ＤＳＰ）、またはソフトウェアとして、複数のＷＴＲＵを有する基地局を有するネットワークで、データリンク層、メディアアクセス制御層、またはネットワーク層でチャネルスキャニングを実施することができる。
【０１２３】
特徴および要素を特定の組合せで上記で説明したが、各特徴または要素を単独で、または他の特徴および要素との任意の組合せで使用できることを当業者は理解されよう。さらに、コンピュータまたはプロセッサによる実行のためにコンピュータ可読媒体に組み込まれたコンピュータプログラム、ソフトウェア、またはファームウェアで、本明細書で説明した方法を実装することができる。コンピュータ可読媒体の例には、電子信号（有線またはワイヤレス接続を介して伝送される）およびコンピュータ可読記憶媒体が含まれる。コンピュータ可読記憶媒体の例には、限定はしないが、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、レジスタ、キャッシュメモリ、半導体メモリデバイス、内部ハードディスクや取外し可能ディスクなどの磁気媒体、光磁気媒体、およびＣＤ−ＲＯＭディスクやＤＶＤ（ｄｉｇｉｔａｌ  ｖｅｒｓａｔｉｌｅ  ｄｉｓｋ）などの光媒体が含まれる。ソフトウェアに関連してプロセッサを使用して、ＷＴＲＵ、ＵＥ、端末、基地局、ＲＮＣ、または任意のホストコンピュータで使用するための無線周波数トランシーバを実装することができる。
【図１Ａ】
2013511219.tif 000003
【図１Ｂ】
2013511219.tif 000004
【図１Ｃ】
2013511219.tif 000005
【図２】
2013511219.tif 000006
【図３】
2013511219.tif 000007
【図４】
2013511219.tif 000008
【図５】
2013511219.tif 000009
【図６】
2013511219.tif 000010
【図７】
2013511219.tif 000011
【図８】
2013511219.tif 000012
【図９】
2013511219.tif 000013
【図１０】
2013511219.tif 000014
【図１１】
2013511219.tif 000015
【図１２】
2013511219.tif 000016
【図１３】
2013511219.tif 000017
【国際調査報告】
2013511219.tif 000018
2013511219.tif 000019
2013511219.tif 000020
2013511219.tif 000021